【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
医用断層像撮影装置によって撮影された同一被検体の同一部位の断層像であって、異なる時期に撮影された２枚の断層像を入力する入力手段と、
前記入力した２枚の断層像の空間的位置及び大きさを合わせる位置合わせ手段と、
前記位置合わせ手段で位置合わせされた２枚の断層像における同一の分割領域内における内臓脂肪量及び／又は皮下脂肪量の差分を計測する脂肪量差分計測手段と、
前記脂肪量差分計測手段で計測された内臓脂肪量及び／又は皮下脂肪量の差分を前記分割領域に対応する位置に視覚的に表示させる表示画像を作成する表示画像作成手段と、
前記表示画像作成手段で作成された画像を表示させる表示手段と、
を備えたことを特徴とする医用画像診断支援装置。
【請求項２】
前記位置合わせ手段は、
前記断層像に含まれる背骨領域を抽出する抽出手段と、
前記抽出手段で抽出された背骨領域の重心位置を算出する重心位置算出手段と、
前記重心位置算出手段で算出された背骨領域の重心位置より、前記２枚の断層像間の空間的な位置のずれを算出する位置ずれ量算出手段と、
前記位置ずれ量算出手段で算出された空間的な位置のずれより、前記２枚の断層像の空間的位置を合わせる空間的位置合わせ手段と、
前記断層像の撮影時の視野の情報を用いて前記２枚の断層像の大きさを合わせる断層像拡大・縮小手段と、
を備えたことを特徴とする請求項１に記載の医用画像診断支援装置。
【請求項３】
前記断層像に含まれる体領域を抽出する体領域抽出手段と、
前記断層像から内臓脂肪と皮下脂肪とを含む脂肪領域と、脂肪外領域とを分離することにより脂肪領域を抽出する脂肪抽出手段とを更に備え、
前記分割領域は、前記脂肪外領域の辺縁部上に設定された注目点であって、前記抽出された体領域の重心を中心として放射状に設定された注目点を基に設定されることを特徴とする請求項１に記載の医用画像診断支援装置。
【請求項４】
医用断層像撮影装置によって撮影された同一被検体の同一部位の断層像であって、異なる時期に撮影された２枚の断層像を入力するステップと、
前記入力した２枚の断層像の空間的位置及び大きさを合わせる位置合わせのステップと、
前記位置合わせされた２枚の断層像における同一の分割領域内における内臓脂肪量及び／又は皮下脂肪量の差分を計測するステップと、
前記計測された内臓脂肪量及び／又は皮下脂肪量の差分を前記分割領域に対応する位置に視覚的に表示させる表示画像を作成するステップと、
前記作成された画像を表示させるステップと、
を演算装置に実行させるためのプログラム。
【請求項５】
医用断層像撮影装置によって撮影された同一被検体の同一部位の断層像であって、異なる時期に撮影された２枚の断層像を入力するステップと、
前記入力した２枚の断層像の空間的位置及び大きさを合わせる位置合わせのステップと、
前記位置合わせされた２枚の断層像における同一の分割領域内における内臓脂肪量及び／又は皮下脂肪量の差分を計測するステップと、
前記計測された内臓脂肪量及び／又は皮下脂肪量の差分を前記分割領域に対応する位置に視覚的に表示させる表示画像を作成するステップと、
前記作成された画像を表示させるステップと、
を含むことを特徴とする医用画像診断支援方法。
【手続補正２】
【補正対象書類名】明細書
【補正対象項目名】発明の名称
【補正方法】変更
【補正の内容】
【発明の名称】医用画像診断支援装置、プログラム、及び方法
【手続補正３】
【補正対象書類名】明細書
【補正対象項目名】０００６
【補正方法】変更
【補正の内容】
【０００６】
本発明は、上記事情に鑑みてなされたものであり、生体情報に関する断層像に基づいて皮下脂肪、内臓脂肪等の体脂肪を自動分離計測することができ、かつ自動分離計測された体脂肪量の経時的変化を視覚的に捉えることができる医用画像診断支援装置、プログラム、及び方法を提供することを目的とする。
【手続補正４】
【補正対象書類名】明細書
【補正対象項目名】００１０
【補正方法】変更
【補正の内容】
【００１０】
請求項２に記載の医用画像診断支援装置は、請求項１に記載の医用画像診断支援装置において、前記位置合わせ手段は、前記断層像に含まれる背骨領域を抽出する抽出手段と、前記抽出手段で抽出された背骨領域の重心位置を算出する重心位置算出手段と、前記重心位置算出手段で算出された背骨領域の重心位置より、前記２枚の断層像間の空間的な位置のずれを算出する位置ずれ量算出手段と、前記位置ずれ量算出手段で算出された空間的な位置のずれより、前記２枚の断層像の空間的位置を合わせる空間的位置合わせ手段と、前記断層像の撮影時の視野の情報を用いて前記２枚の断層像の大きさを合わせる断層像拡大・縮小手段とを備えたことを特徴としている。
【手続補正５】
【補正対象書類名】明細書
【補正対象項目名】００１３
【補正方法】変更
【補正の内容】
【００１３】
請求項３に記載の医用画像診断支援装置は、請求項１に記載の医用画像診断支援装置において、前記断層像に含まれる体領域を抽出する体領域抽出手段と、前記断層像から内臓脂肪と皮下脂肪とを含む脂肪領域と、脂肪外領域とを分離することにより脂肪領域を抽出する脂肪抽出手段とを更に備え、前記分割領域は、前記脂肪外領域の辺縁部上に設定された注目点であって、体領域の重心を中心として放射状に設定された注目点を基に設定されることを特徴としている。
【手続補正６】
【補正対象書類名】明細書
【補正対象項目名】００１６
【補正方法】変更
【補正の内容】
【００１６】
請求項４に記載のプログラムは、医用断層像撮影装置によって撮影された同一被検体の同一部位の断層像であって、異なる時期に撮影された２枚の断層像を入力するステップと、前記入力した２枚の断層像の空間的位置及び大きさを合わせる位置合わせのステップと、前記位置合わせされた２枚の断層像における同一の分割領域内における内臓脂肪量及び／又は皮下脂肪量の差分を計測するステップと、前記計測された内臓脂肪量及び／又は皮下脂肪量の差分を前記分割領域に対応する位置に視覚的に表示させる表示画像を作成するステップと、前記作成された画像を表示させるステップと、を演算装置に実行させることを特徴としている。
また、請求項５に記載の医用画像診断支援方法は、医用断層像撮影装置によって撮影された同一被検体の同一部位の断層像であって、異なる時期に撮影された２枚の断層像を入力するステップと、前記入力した２枚の断層像の空間的位置及び大きさを合わせる位置合わせのステップと、前記位置合わせされた２枚の断層像における同一の分割領域内における内臓脂肪量及び／又は皮下脂肪量の差分を計測するステップと、前記計測された内臓脂肪量及び／又は皮下脂肪量の差分を前記分割領域に対応する位置に視覚的に表示させる表示画像を作成するステップと、前記作成された画像を表示させるステップと、を含むことを特徴としている。
【手続補正７】
【補正対象書類名】明細書
【補正対象項目名】００２１
【補正方法】変更
【補正の内容】
【００２１】
医用画像診断支援装置１０は、主として、各構成要素の動作を制御する制御装置として
の中央処理装置（ＣＰＵ）１１と、装置の制御プログラムが格納されたり、プログラム実
行時の作業領域となったりする主メモリ１２と、オペレーティングシステム（ＯＳ）、周
辺機器のデバイスドライブ、内臓脂肪領域抽出処理、位置合わせ処理、経時変化量算出処理、識別結果画像作成処理、結果表示等の処理を行うためのプログラムを含む各種アプリケーションソフト等が格納される磁気ディスク１３と、表示用データを一時記憶する表示メモリ１４と、この表示メモリ１４からのデータに基づいて画像を表示するＣＲＴモニタ、液晶モニタ等のディスプレイ１５と、操作者が指示を入力するためのキーボード１６と、ディスプレイ１５上のソフトスイッチを操作するためのマウス１７と、マウス１７の状態を検出してディスプレイ１５上のマウスポインタの位置やマウス１７の状態等の信号をＣＰＵ１１に出力するコントローラ１８と、上記各構成要素を接続する共通バス１９とから構成される。